(57)【特許請求の範囲】
【請求項１】
乗り物に搭載される表示装置であって、
前記乗り物の状態を報知するための報知画像を含む表示画像を表示領域に表示する表示部と、
前記表示部の前記表示領域上に位置し、複数の部分から構成されるフレーム体と、
前記複数の部分のうち少なくとも１つの部分を移動させる移動装置と、を備え、
前記フレーム体は、前記少なくとも１つの部分が前記移動装置によって移動することによって分割され、分割される前は、前記表示部の前記表示領域のうちの一領域を囲み、
前記表示部は、前記フレーム体の分割前後で異なる表示画像を表示し、前記フレーム体の分割前と分割後の少なくとも一方で、前記フレーム体の形状に合わせた報知画像を表示する、
ことを特徴とする表示装置。
【請求項２】
前記表示部は、前記フレーム体の分割前に、前記フレーム体に囲まれた前記一領域に、前記フレーム体の形状に合わせた報知画像を表示する、
ことを特徴とする請求項１に記載の表示装置。
【請求項３】
前記表示部は、前記フレーム体の分割後に、前記表示部の前記表示領域のうち、分割された前記フレーム体の間に形成される領域に、表示画像に含まれる所定の画像を表示する、
ことを特徴とする請求項１又は２に記載の表示装置。
【請求項４】
前記表示部は、前記フレーム体の分割後に、前記複数の部分のうち少なくとも１つの部分の形状に合わせた報知画像を表示する、
ことを特徴とする請求項１乃至３のいずれか１項に記載の表示装置。
【請求項５】
前記フレーム体は、第１部分と第２部分とにより構成され、前記第１部分と前記第２部分との両者又はいずれか一方が前記移動装置によって移動することによって分割され、
前記第１部分と前記第２部分の移動方向が前記表示装置の観察者から見た場合の左右方向であることによって、前記フレーム体は前記左右方向に分割される、
ことを特徴とする請求項１乃至４のいずれか１項に記載の表示装置。
【請求項６】
前記フレーム体が分割される前は、前記フレーム体の前記複数の部分は、各々当接せずに近接することで、前記複数の部分のうち隣り合うもの同士の間には隙間部が形成され、
前記複数の部分のうち少なくとも１つの部分には、前記表示装置を正視した場合に前記隙間部を覆い隠すリブ部が形成されている、
ことを特徴とする請求項１乃至５のいずれか１項に記載の表示装置。
【発明の詳細な説明】
【技術分野】
【０００１】
本発明は、表示装置に関する。
【背景技術】
【０００２】
表示装置として、例えば、車載用計器がある。特許文献１には、表示器と、この表示器の表示領域上に位置する２つの環状部と、電動機の動力によって２つの環状部を移動させる移動機構と、を備えた車載用計器が開示されている。この２つの環状部は、例えば、エンジンの回転数を表示するタコメータの外枠としての役割を有する環状部と車速を表示する速度計の外枠としての役割を有する環状部であり、それぞれ、移動機構によって、観察者から見て略左右方向に移動することができる。この車載用計器は、２つの環状部を移動させるとともに、環状部の移動に合わせて表示器の表示内容を変化させるものである。
【先行技術文献】
【特許文献】
【０００３】
【特許文献１】特開２０１０−１７５４１１号公報
【発明の概要】
【発明が解決しようとする課題】
【０００４】
特許文献１に係る車載用計器は、環状部を、その形状を変えずにただ単に表示器上を移動させるものであるため、斬新な表示をし、ユーザを楽しませるという点で改良の余地があった。
【０００５】
本発明は、上記実状に鑑みてなされたものであり、斬新な表示を実現できる表示装置を提供することを目的とする。
【課題を解決するための手段】
【０００６】
上記目的を達成するため本発明に係る表示装置は、
乗り物に搭載される表示装置であって、
前記乗り物の状態を報知するための報知画像を含む表示画像を表示領域に表示する表示部と、
前記表示部の前記表示領域上に位置し、複数の部分から構成されるフレーム体と、
前記複数の部分のうち少なくとも１つの部分を移動させる移動装置と、を備え、
前記フレーム体は、前記少なくとも１つの部分が前記移動装置によって移動することによって分割され、分割される前は、前記表示部の前記表示領域のうちの一領域を囲み、
前記表示部は、前記フレーム体の分割前後で異なる表示画像を表示し、前記フレーム体の分割前と分割後の少なくとも一方で、前記フレーム体の形状に合わせた報知画像を表示する、
ことを特徴とする。
【発明の効果】
【０００７】
本発明によれば、斬新な表示を実現できる。
【図面の簡単な説明】
【０００８】
【図１】本発明の一実施形態に係る表示装置の外形を示す概略図であり、表示装置における第１駆動部、第２駆動部、第１伝達機構、第２伝達機構の各部の位置を説明するための模式図である。
【図２】（ａ）は、図１の表示装置を上側から見た場合の概略透過図である。（ｂ）は、図１の表示装置のＡ−Ａ線概略断面図である。
【図３】（ａ）は、図１の表示装置を表側から見た場合の指針ユニットと装飾ユニットを示した図である。（ｂ）は、指針式計器の図３（ａ）のＢ−Ｂ線概略断面図である。（ｃ）は、図３（ａ）の矢視Ｃにおける装飾ユニットの要部側面図である。
【図４】（ａ）は、装飾ユニットの斜視図である。（ｂ）は、図４（ａ）の装飾ユニットの分解斜視図である。
【図５】（ａ）は、第１パターンにある状態の装飾ユニットを説明するための図であり、第１及び第２検出ユニットを説明するための図である。（ｂ）は、第２パターンにある状態の装飾ユニットを説明するための図であり、第１及び第２検出ユニットを説明するための図である。
【図６】（ａ）は、第１移動機構の可動範囲を説明するための図である。（ｂ）は、第２移動機構の可動範囲を説明するための図である。（ｃ）は、第１移動機構の可動範囲と第２移動機構の可動範囲の関係を示す図である。
【図７】本発明の一実施形態に係る表示装置の電気的構成を説明するためのブロック図である。
【図８】（ａ）は、第１パターンでディスプレイ装置が表示する走行画面表示の一例を示す図である。（ｂ）は、第２パターンでディスプレイ装置が表示するバックモニタ表示の一例を示す図である。
【図９】制御部が実行する表示形態変形処理のフローチャートである。
【図１０】（ａ）は、第３パターンにある状態の装飾ユニットを説明するための図である。（ｂ）は、第３パターンでディスプレイ装置が表示するラジオ表示の一例を示す図である。
【図１１】変形例に係る表示装置の第１伝達機構及び第２伝達機構を説明するための図である。
【発明を実施するための形態】
【０００９】
本発明の一実施形態に係る表示装置について図面を参照して説明する。
本実施形態に係る表示装置１００は、図１にその外形を示す、車両に搭載される車両用計器である。
【００１０】
表示装置１００は、図２（ａ）、（ｂ）に示すように、ディスプレイ装置１０と、指針式計器２０と、装飾ユニット３０と、移動機構４０と、回路基板５０と、ケース体６０と、を備える。
なお、以下では、図１に両端矢印で示すように、表示装置１００の表示面方向（つまり、表示装置１００に対するユーザ側方向）を「表」とし、表示面方向の反対側方向を「裏」とし、表示面を視認するユーザからみた場合の上下左右方向を、それぞれ、「上」、「下」、「左」、「右」として、説明する。
【００１１】
ディスプレイ装置１０は、例えば１２．３インチのＴＦＴ（Thin Film Transistor）液晶ディスプレイ装置であり、後述する制御部７０の制御の下、車速、エンジン回転数、エンジン温度、燃料の残量、各種警告、等を表示する。また、ディスプレイ装置１０は、左右方向にスライド移動する指針式計器２０及び装飾ユニット３０の位置状態（後述する「第１パターン」、「第２パターン」等）に合わせて、表示態様を変化させる（図８（ａ）、（ｂ）参照）。指針式計器２０及び装飾ユニット３０がどのように移動するか、ディスプレイ装置１０がどのように表示態様を変化させるか、については後に詳細に説明する。
ディスプレイ装置１０は、ＴＦＴ液晶パネル、偏光板、バックライト、ディスプレイ用筐体等（図示せず）から構成され、例えば、ケース体６０に形成された取付部材（図示せず）に取り付けられ、所定位置に配置され、支持される。
【００１２】
指針式計器２０は、主に図２（ｂ）、図３（ｂ）に示すように、指針駆動部２１と、第１マグネット体２２と、第２マグネット体２３と、指針ユニット２４と、光源２５と、導通部材２６と、を備える。なお、後述するように、指針式計器２０を構成する各部は、第１移動板４１１に直接、又は第１移動板４１１に取り付けられる装飾ユニット３０の第１部分３１を介して取り付けられているため、第１移動板４１１の移動に伴い移動する。
【００１３】
指針駆動部２１は、例えばステッピングモータから構成され、後述する制御部７０の制御の下、計測量（例えば、車速）に応じて回転軸２１ａを回転させる。指針駆動部２１は、図２（ｂ）に示すように、後述の第１移動板４１１の裏面側に取り付けられた基材Ｓに固定されている。回転軸２１ａの先端部は、基材Ｓに設けられた孔部Ｓｏ、後述する第１移動板４１１の開口部４１１ａを通過し、ディスプレイ装置１０のすぐ裏に位置する。
【００１４】
第１マグネット体２２は、回転軸２１ａに取り付けられ、回転軸２１ａの回転に伴い、回転する。このように取り付けられた第１マグネット体２２は、図２（ｂ）に示すように、ディスプレイ装置１０のすぐ裏に位置する。第１マグネット体２２は、図３（ｂ）に示すように、回転軸２１ａ側のヨーク部２２ａと磁石部２２ｂとから構成され、磁力を効率良く第２のマグネット２３体に伝えるとともにヨーク部２２ａの透磁効果により、指針駆動部２１に対しては、磁気影響を与え難くしている。
【００１５】
第２マグネット体２３は、後述の台座３１３に回転可能に支持されており、ディスプレイ装置１０の表側であって、第１マグネット体２２と対向する位置に位置する。第２マグネット体２３は、第１マグネット体２２からのディスプレイ装置１０を透過した磁力を受け、第１のマグネット体２２の回転に従って、回転する。また、第２マグネット体２３は、後述する指針ユニット２４の指針軸２４ａを支持する。
【００１６】
このような第１マグネット体２２と第２マグネット体２３により、指針駆動部２１の回転動力は、指針ユニット２４へ伝えられ、指針ユニット２４は回転することができる。前述したディスプレイ装置１０のディスプレイ用筐体は、このように磁力を透過させる必要があるため、アルミ等の非磁性体により形成される。
【００１７】
指針ユニット２４は、第２マグネット体２３と一体に回転する指針部材であり、図３（ｂ）に示すように、指針軸２４ａと、導光指針２４ｂと、指針キャップ２４ｃと、を備える。
指針軸２４ａは、第２マグネット体２３に軸支される。導光指針２４ｂは、指針軸２４ａに固定され、指針軸２４ａ側の受光部（図示せず）で光源２５が出射した光を受け、発光する。導光指針２４ｂは、無色又は有色透明の導光材料から形成される。指針キャップ２４ｃは、導光指針２４ｂの一部（指針軸２４ａ近傍）を、指針軸２４ａの軸方向表側から覆うようにして導光指針２４ｂに取り付けられる。指針キャップ２４ｃは、例えば、合成樹脂により形成された黒色のキャップであり、光を透過しない。
【００１８】
光源２５は、指針軸２４ａ近傍に配設される、１又は複数（例えば、２、３灯）のＬＥＤ（Light Emitting Diode）から構成される。光源２５は、図４（ｂ）に示すように、装飾ユニット３０の後述する光源取付部３１１ｄに取り付けられる。このように取り付けられた光源２５は、指針ユニット２４の直下（指針キャップ２４ｃの裏側）に位置し、指針ユニット２４を照光する（導光指針２４ｂの前記受光部に向け光を出射する）。光源２５は、後述する制御部７０の制御の下、発光する。
【００１９】
導通部材２６は、図４（ｂ）に示すように、例えば、ＦＰＣ（Flexible Printed Circuits）からなり、光源２５と後述の制御部７０（マイコン７１）とを接続し、制御部７０から送信された制御信号を光源２５に伝送する。導通部材２６は、図示するように、後述の第１基材３１１に取り付けられる。
【００２０】
装飾ユニット３０は、図４（ａ）に示すように、移動機構４０によりそれぞれ独立して左右方向にスライド移動する第１部分３１と第２部分３２とから構成される。
【００２１】
第１部分３１は、指針式計器２０と共にスライド移動する部分であり、図４（ｂ）に示すように、第１基材３１１と、第１装飾カバー３１２と、台座３１３と、を備える。
第２部分３２は、第１部分３１の右側に位置し、図４（ｂ）に示すように、第２基材３２１と、第２装飾カバー３２２とを備える。
【００２２】
第１基材３１１と第２基材３２１とは、例えば、アルミ、ステンレスの金属材料から構成され、プレス、切削等の加工により形成される。
第１基材３１１は、円弧部３１１ａと、アーム部３１１ｂと、取付部３１１ｃと、光源取付部３１１ｄと、を備える。
第２基材３２１は、円弧部３２１ａと、アーム部３２１ｂと、取付部３２１ｃと、を備える。
【００２３】
円弧部３１１ａ，３２１ａは、第１基材３１１と第２基材３２１とが近接した場合（図５（ａ）等参照）に、１つの円形状（リング形状）になるように形成されている。つまり、その円形状の、円中心を通る上下方向の線を基準として（以下、この仮想線を基準線という）、左半分の円弧形状に第１基材３１１の円弧部３１１ａは形成され、右半分の円弧形状に第２基材３２１の円弧部３２１ａは形成されている。
【００２４】
第１基材３１１のアーム部３１１ｂは、円弧部３１１ａの一部から、円弧中心に向かって延びるように形成された部材である。同様に、第２基材３２１のアーム部３２１ｂは、半円弧状の円弧部３２１ａの一部から、円弧中心に向かって延びるように形成された部材である。
アーム部３１１ｂとアーム３２１ｂとは、前記基準線に対して、線対称になるように形成される。特に、第１基材３１１のアーム部３１１ｂは、導通部材２６を光源２５に案内する役割を持つ。具体的には、一端が制御部７０に接続される導通部材２６は、図４（ｂ）に示すように、円弧部３１１ａの一部に沿って取り付けられ、さらに、このアーム部３１１ｂに沿って取り付けられることで、他端が光源２５に至るように配設されている。一方、第２基材３２１のアーム部３２１ｂは、デザイン上の要請によりこのように形成される。よって、アーム部３２１ｂを省いてもよい。
【００２５】
第１基材３１１の取付部３１１ｃは、円弧部３１１ａの両端から円の外周方向（上下方向）に延びるように形成された部材であり、取付孔ｏ１を有する。同様に、第２基材３２１の取付部３２１ｃは、円弧部３２１ａの両端から円の外周方向（上下方向）に延びるように形成された部材であり、取付孔ｏ２を有する。
第１基材３１１の取付部３１１ｃを後述する第１移動板４１１に取り付け、固定することで、装飾ユニット３０の第１部分３１は、第１移動板４１１がスライド移動するに伴ってスライド移動する。具体的には、第１部分３１は、取付孔ｏ１に通したネジ等（図示せず）により第１移動板４１１に固定される。同様に、第２基材３２１の取付部３２１ｃを後述する第２移動板４２１に取り付け、固定することで、装飾ユニット３０の第２部分３２は、第２移動板４２１がスライド移動するに伴ってスライド移動する。具体的には、第２部分３２は、取付孔ｏ２に通したネジ等（図示せず）により第２移動板４２１に固定される。第１移動板４１１，第２移動板４２１がそれぞれどのようにスライド移動するかについては、後に詳述する。
【００２６】
光源取付部３１１ｄは、アーム部３１１ｂの端部に取り付けられた円形状（リング形状）の部材である。光源取付部３１１ｄには、その円形状の円周に沿うように前述の光源２５が取り付けられる。光源取付部３１１ｄの円中心と、円弧部３１１ａ，３２１ａが互いに近接したときに表現される円の中心とは略一致（丁度一致も含む）する。
本実施形態において、第１基材３１１と第２基材３２１とは、第１基材３１１が有する光源取付部３１１ｄを除けば、前記基準線に対して、線対称に形成されている。
【００２７】
第１装飾カバー３１２と第２装飾カバー３２２とは、それぞれ、金属、合成樹脂等により形成される不透過の部材である。図３（ａ）に示すように、第１装飾カバー３１２は本体部３１２０と複数のリブｒ１とから構成され、第２装飾カバー３２２は本体部３２２０と複数のリブｒ２とから構成される。
なお、図１、図３（ａ）〜（ｃ）、図１０（ｂ）以外の図面では、リブｒ１，ｒ２を省略している。
【００２８】
第１装飾カバー３１２の本体部３１２０は、第１基材３１の円弧部３１１ａ及びアーム部３１１ｂに対応するように（表側からの投影面積が略同一形状となるように）形成され、両者を表側から覆うように第１基材３１１に取り付けられる部材である。
第２装飾カバー３２２の本体部３２２０は、第２基材３２の円弧部３２１ａ及びアーム部３２１ｂに対応するように（表側からの投影面積が略同一形状となるように）形成され、両者を表側から覆うように第２基材３２１に取り付けられる部材である。
【００２９】
複数のリブｒ１は本体部３１２０の表面に形成され、複数のリブｒ２は本体部３２２０の表面に形成される。例えば、複数のリブｒ１，ｒ２は、図３（ａ）に示すように、円弧部３１１ａ，３２１ａが互いに近接したときに表現される円の円周方向に沿って、それぞれ、等間隔に位置する。
本実施形態では、リブｒ１，ｒ２の総数は６つである。しかし、リブｒ１，ｒ２は、第１装飾カバー３１２と第２装飾カバー３２２とに半分ずつに割り振られていない。第１装飾カバー３１２は４つのリブｒ１を備え、第２装飾カバー３２２は２つのリブｒ２を備える。特に、第１装飾カバー３１２の４つのリブｒ１のうち、上下方向に位置する（第２装飾カバー３２２に最も近い位置に位置する）２つのリブｒ１（図で符号に下線を付した）は、第１部分３１と第２部分３２とが互いに近接した時には、図３（ｃ）に示すように、その一部が第２装飾カバー３２２の本体部３２２０にラップするように（表示装置１００を表側から見た（正視した）場合に、重なるように）設けられる。近接時において、前記上下方向に位置する２つのリブｒ１は、第２装飾カバー３２２の本体部３２２０表面とは当接しない。
このようにすることで、第１部分３１と第２部分３２とでリング形状を表現する場合（図５（ａ）参照）に、両者を当接させずとも、意図しない間欠（隙間）が生じることなくなめらかなリング形状を表現できる。また、両者を当接させずに済むため、移動の際の衝撃を抑えることができ故障防止にも繋がる。また、両者がぶつかったときの衝撃音も発生しないため騒音防止にも繋がる。
【００３０】
また、第１装飾カバー３１２は、不透過の部材からなり、導通部材２６が配設された第１基材３１１を表側から覆うため、導通部材２６を隠すことができる。このようにして、導通部材２６をユーザから見えることなく取り付けることができる。なお、本実施形態では、第１装飾カバー３１２を不透過の部材としたが、導通部材２６が目立たない程度においては、半透過の部材であってもよい。第２装飾カバー３２２も半透過の部材であってもよい。
【００３１】
台座３１３は、図４（ｂ）に示すように、所定の樹脂により例えば円錐台状に形成され、第２マグネット体２３を回転可能に保持する部材であり、第１基材３１の光源取付部３１１ｄに取り付けられる。台座３１３の内部には空洞の収納スペースが形成され、台座３１３は、この収納スペースにより、第２マグネット体２３を回転可能に保持し、且つ、収納する。台座３１３の表側の面（円錐台の底面）の中心部には、指針ユニット２４の指針軸２４ａの軸径より一回り大きい開口径の孔部ｏ３が形成されている。第２マグネット体２３に軸支された指針軸２４ａは、この孔部ｏ３を通過する。
【００３２】
移動機構４０は、図２（ｂ）等に示すように、第１移動機構４１と、第２移動機構４２と、スライド機構４３と、移動機構用筐体４４と、から構成される。
【００３３】
第１移動機構４１は、装飾ユニット３０の第１部分３１（及び指針式計器２０）を左右方向にスライド移動させるための機構である。
第２移動機構４２は、装飾ユニット３０の第２部分３２を左右方向にスライド移動させるための機構である。
【００３４】
第１移動機構４１は、第１移動板４１１と、第１駆動部４１２と、第１伝達機構４１３と、第１検出ユニット４１４と、を備える。
第２移動機構４２は、第２移動板４２１と、第２駆動部４２２と、第２伝達機構４２３と、第２検出ユニット４２４と、を備える。
【００３５】
第１移動板４１１、第２移動板４２１は、例えば、樹脂材料やアルミ等の非磁性金属から形成される部材である。
第１移動板４１１は、指針式計器２０と装飾ユニット３０の第１部分３１とを保持する。また、第１移動板４１１は、その裏面に形成された挟持部ｎ１により、第１伝達機構４１３の後述するタイミングベルト４１３ｃに取り付けられる。第１移動板４１１には、指針駆動部２１の回転軸２１ａを通すための開口部４１１ａが設けられている。第１移動板４１１の裏面側には、開口部４１１ａを外周から立設し、基材取付部Ｃが形成されている（基材取付部Ｃは、第１移動板４１１と別体でもよい）。基材取付部Ｃに前述の基材Ｓが取り付けられ、基材Ｓに指針駆動部２１が取り付けられることで、指針駆動部２１は、第１移動板４１１の裏側に固定される。
第２移動板４２１は、装飾ユニット３０の第２部分３２を保持する。また、第２移動板４２１は、その裏面に形成された挟持部ｎ２により、第２伝達機構４２３の後述するタイミングベルト４２３ｃに取り付けられる。
【００３６】
第１駆動部４１２、第２駆動部４２２は、それぞれ、例えば、ステッピングモータからなる。第１駆動部４１２は、後述の制御部７０の制御の下、回転軸４１２ａを回転させる。同様に、第２駆動部４２２は、後述の制御部７０の制御の下、回転軸４２２ａを回転させる。第２駆動部４２２は、図１、図２（ｂ）に示すように、第１駆動部４１２の上に位置する。
【００３７】
第１伝達機構４１３と第２伝達機構４２３とは、互いに、上下方向に所定の間隔を空けて配置される。このように両者を配置することで、表示装置１００が表裏方向に厚くなることを避けることができるため、表示装置１００を薄くすることが可能である。第１伝達機構４１３は、第２伝達機構４２３の下側に位置する。
【００３８】
第１伝達機構４１３は、左右方向に所定の間隔を空けて配置された２つのプーリー４１３ａ，４１３ｂと、両者に巻回されるタイミングベルト４１３ｃと、から構成される。プーリー４１３ａは、図１に示すように、表示装置１００の表側から見て右側に位置し、第１駆動部４１２の回転軸４１２ａに圧入され（ギアを介して締結されていてもよい）、回転軸４１２ａの回転に伴い回転する。プーリー４１３ｂは、図１に示すように、表示装置１００の表側から見て左側に位置し、移動機構用筐体４４に取り付けられた軸Ａ１（図１参照）に回転可能に保持される。タイミングベルト４１３ｃは、２つのプーリー４１３ａ，４１３ｂが空転しないように所定の張力をもって取り付けられるため、プーリー４１３ａが回転すると、プーリー４１３ｂも同様に回転する。このようにして、第１伝達機構４１３は、第１駆動部４１２で発生した回転動力をスライド方向（左右方向）の動力に変換して、前述のようにタイミングベルト４１３ｃに取り付けられた第１移動板４１１をスライド移動させる。
第２伝達機構４２３は、左右方向に所定の間隔を空けて配置された２つのプーリー４２３ａ，４２３ｂと、両者に巻回されるタイミングベルト４２３ｃと、から構成される。プーリー４２３ａは、図１に示すように、表示装置１００の表側から見て右側に位置し、第２駆動部４２２の回転軸４２２ａに圧入され（ギアを介して締結されていてもよい）、回転軸４２２ａの回転に伴い回転する。プーリー４２３ｂは、図１に示すように、表示装置１００の表側から見て左側に位置し、移動機構用筐体４４に取り付けられた軸Ａ２（図１、図２（ａ）参照）に回転可能に保持される。タイミングベルト４２３ｃは、２つのプーリー４２３ａ，４２３ｂが空転しないように所定の張力をもって取り付けられるため、プーリー４２３ａが回転すると、プーリー４２３ｂも同様に回転する。このようにして、第２伝達機構４２３は、第２駆動部４２２で発生した回転動力をスライド方向（左右方向）の動力に変換して、前述のようにタイミングベルト４２３ｃに取り付けられた第２移動板４２１をスライド移動させる。
【００３９】
図５（ａ）、（ｂ）に模式的に示す、第１検出ユニット４１４は、装飾ユニット３０の第１部分３１の位置を検出するためのものであり、例えば、フォトリフレクタ（反射型フォトインタラプタ）から構成され、第１検出部４１４ａと第１検出ターゲット４１４ｂとを備える。同様に、第２検出ユニット４２４は、装飾ユニット３０の第２部分３２の位置を検出するためのものであり、例えば、フォトリフレクタ（反射型フォトインタラプタ）から構成され、第２検出部４２４ａと第２検出ターゲット４２４ｂとから構成される。
【００４０】
第１検出部４１４ａは、例えば、赤外光を出射する発光素子（赤外ＬＥＤ）と受光素子（フォトトランジスタ）とを備え、第１検出ターゲット４１４ｂを検出すると、検出信号を後述の制御部７０に供給する。第１検出ターゲット４１４ｂは、例えば、赤外光を反射する反射部であり、第１検出部４１４ａの検出対象部である。具体的には、赤外光を照射する第１検出部４１４ａが、第１検出ターゲット４１４ｂに対向する位置に位置すると、第１検出ターゲット４１４ｂは、第１検出部４１４ａの発光素子が出射した赤外光を第１検出部４１４ａに向け反射させる。そして、第１検出部４１４ａは、その反射した光を受光素子で受光することにより、第１検出ターゲット４１４ｂを検出し、検出信号を、センサ情報入力ポート８２を介して、制御部７０に供給する。
第１検出部４１４ａは、第１移動板４１１の所定箇所に取り付けられる。第１検出ターゲット４１４ｂは、第１部分３１の移動完了位置を定めるためのものであり、第１移動板４１１のように移動しない箇所（例えば、移動機構用筐体４４の所定箇所）に複数取り付けられる。具体的には、図５（ａ）、（ｂ）に模式的に示すように、例えば、３つの第１検出ターゲット４１４ｂが、各々、左右方向に所定間隔を空けて配置される。第１検出部４１４ａと第１検出ターゲット４１４ｂとは、各々、表示装置１００の上下方向において同じ高さに配置され、第１移動板４１１がスライド移動し、第１検出部４１４ａが複数の第１検出ターゲット４１４ｂのいずれかと対向する位置にくると、第１検出部４１４ａが反応し、第１移動板４１１が所定位置に位置した（つまり、第１部分３１が移動完了位置にある）ことを検知する。このようにして、第１検出ユニット４１４は、装飾ユニット３０の第１部分３１の位置を検出する。
【００４１】
第２検出部４２４ａは、例えば、赤外光を出射する発光素子（赤外ＬＥＤ）と受光素子（フォトトランジスタ）とを備え、第２検出ターゲット４２４ｂを検出すると、検出信号を後述の制御部７０に供給する。第２検出ターゲット４２４ｂは、例えば、赤外光を反射する反射部であり、第２検出部４２４ａの検出対象部である。第２検出部４２４ａが、第２検出ターゲット４２４を検出する仕組みは、第１検出ユニット４１４と同様である。
第２検出部４２４ａは、第２移動板４２１の所定箇所に取り付けられる。第２検出ターゲット４２４ｂは、第２部分３２の移動完了位置を定めるためのものであり、第２移動板４２１のように移動しない箇所（例えば、移動機構用筐体４４の所定箇所）に複数取り付けられる。具体的には、図５（ａ）、（ｂ）に模式的に示すように、例えば、３つの第２検出ターゲット４２４ｂが、各々、左右方向に所定間隔を空けて配置される。第２検出部４２４ａと第２検出ターゲット４２４ｂとは、各々、表示装置１００の上下方向において同じ高さに配置され、第２移動板４２１がスライド移動し、第２検出部４２４ａが複数の第２検出ターゲット４２４ｂのいずれかと対向する位置にくると、第２検出部４２４ａが反応し、第２移動板４２１が所定位置に位置した（つまり、第２部分３２が移動完了位置にある）ことを検知する。このようにして、第２検出ユニット４２４は、装飾ユニット３０の第２部分３２の位置を検出する。
【００４２】
第１移動板４１１，第２移動板４２１は、第１検出ターゲット４１４ｂ，第２検出ターゲット４２４ｂの配設位置を基準として停止する（移動完了する）ため、第１伝達機構４１３と第２伝達機構４２３を構成する各部が、温度変化により膨張収縮したり、摩耗したりすることによっては、移動後の位置がずれることがなく、精度良く移動が可能である。このため、第１移動板４１１及び第２移動板４２１とディスプレイ装置１０との位置合わせが容易である。
【００４３】
スライド機構４３は、第１移動板４１１と第２移動板４２１とを、摩擦力の影響を極力抑えつつ左右方向に案内するスライドレールであり、移動機構用筐体４４に取り付けられる。スライド機構４３は、例えば、図２（ａ）、（ｂ）に示すように、ボールベアリング４３ａと左右方向に延びるレール部４３ｂとを備える。この場合、ボールベアリング４３ａとしてステンレスボールベアリングを採用し、また、レール部４４ｂもステンレスにより形成することで、温度変化、振動が発生しても、スライド抵抗を抑えることができるスライド機構を構成するとよい。第１移動板４１１と第２移動板４２１とは、それぞれ、裏面側に図示しない摺動部を備え、この摺動部がスライド機構４３を摺動することで、左右方向に案内される。第１移動板４１１は、第１駆動部４１２の動力を第１伝達機構４１３を介して得ることで、このスライド機構４３を摺動する。また、第２移動板４２１は、第２駆動部４２２の動力を第２伝達機構４２３を介して得ることで、このスライド機構４３を摺動する。
なお、本実施形態では、スライド機構４３を、第１移動板４１１と第２移動板４１２とに共用のスライドレールとして説明したが、第１移動板４１１と第２移動板４１２とのそれぞれに独立したスライドレールを設けてもよい。
【００４４】
移動機構用筐体４４は、第１移動機構４１、第２移動機構４２に共用の筐体であり、例えば、樹脂材料やアルミ等の非磁性金属から形成される。
【００４５】
ここで、移動機構４０の第１移動機構４１と第２移動機構４２、それぞれの可動範囲について、図６（ａ）〜（ｃ）を参照して説明する。
【００４６】
第１移動機構４１は、例えば、ディスプレイ装置１０の表示領域内で第１部分３１を左右方向に移動させる。本実施形態では、第１部分３１の停止位置（移動終了位置）は、表示領域の左端部、中央部、右端部の３つであり、これらの停止位置は、３つの第１検出ターゲット４１４ｂの配設位置によって規定される。第１移動機構４１の可動範囲は、第１部分３１が、表示領域の左端部から右端部まで移動する範囲であり、例えば、第１部分３１の左端を基準にすれば、図６（ａ）に示すようになる。
【００４７】
第２移動機構４２は、例えば、ディスプレイ装置１０の表示領域内で第２部分３２を左右方向に移動させる。本実施形態では、第２部分３２の停止位置（移動終了位置）は、表示領域の左端部、中央部、右端部の３つであり、これらの停止位置は、３つの第２検出ターゲット４２４ｂの配設位置によって規定されている。第２移動機構４２の可動範囲は、第２部分３２が、表示領域の左端部から右端部まで移動する範囲であり、例えば、第２部分３２の右端を基準にすれば、図６（ｂ）に示すようになる。
【００４８】
本実施形態に係る表示装置１００では、第１移動機構４１、第２移動機構４２、第１検出ユニット４１４、第２検出ユニット４２４を調節することにより、第１移動機構４１と第２移動機構４２とは、両者の可動範囲が一部重なる（図６（ｃ）参照）ように構成されている（第１伝達機構４１３の可動範囲と第２伝達機構４２３の可動範囲とが、一部重なるともいえる）。このようにすれば、第１部分３１と第２部分３２の可動範囲も一部重なり、両者の可動範囲を広くとることができるため、装飾ユニット３０の状態を、後述する第１〜第３パターンのように、様々な状態に変化することができる。また、装飾ユニットの形態の変化に合わせて、ディスプレイ装置１０の表示画像を変化させることで、多様な表示形態での表示が可能である。
【００４９】
回路基板５０は、板状の基材に後述の制御部７０を実装した回路基板であり、移動機構４０の裏側に位置する。回路基板５０は、ケース体６０の内面に支持される。
【００５０】
ケース体６０は、上記各部（ディスプレイ装置１０、指針式計器２０、装飾ユニット３０、移動機構４０、回路基板５０）を収納する筐体であり、収納体６１と、透明カバー６２と、から構成される。収納体６１は、表側開口の箱状部材であり、その開口部に透明カバー６２が取り付けられる。
【００５１】
次に、図７を参照して、表示装置１００の電気的構成について説明する。
表示装置１００は、制御部７０と、車両情報入力ポート８１と、センサ情報入力ポート８２と、前述したディスプレイ装置１０、指針駆動部２１、光源２５、第１駆動部４１２及び第２駆動部４２２と、を備える。
【００５２】
制御部７０は、マイコン７１と、グラフィックディスプレイコントローラー（ＧＤＣ）７２と、指針駆動部２１、第１駆動部４１２、第２駆動部４２２、ディスプレイ装置１０のバックライト等を駆動する各種ドライバＩＣ（Integrated Circuit）（図示せず）と、を備える。制御部７０は、例えば、車速、エンジン回転数、エンジン温度、残燃料の量等の各種計測量を算出し、ディスプレイ装置１０、指針式計器２０の動作を制御し、算出した計測量を表示させる。
【００５３】
マイコン７１は、ＣＰＵ（Central Processing Unit）、ＲＯＭ（Read Only Memory）、ＲＡＭ（Random Access Memory）、入出力インターフェイス等を備え、車両情報入力ポート８１及びセンサ情報入力ポート８２から入力された各種情報を受け付け、各部に制御信号を供給する。マイコン７１のＣＰＵは、例えば、ＲＯＭ内に予め記憶された、後述する表示形態変形処理を実行するための所定プログラムを読み出し実行する。
ＧＤＣ７２は、マイコン７１と協働して、ディスプレイ装置１０の表示を制御する。
【００５４】
車両情報入力ポート８１は、ｉ）車両ＥＣＵ（Electronic Control Unit）から通信ラインにより伝送される各種状態情報、ｉｉ）バックカメラから送信されるバックモニタ画像情報、ｉｉｉ）ユーザが、ハンドル周辺の操作スイッチ、インパネ周辺の各種コントロールスイッチ、表示装置１００に配設された入力スイッチ等を操作した際の操作内容を示す操作信号、等の車両情報が入力されるポートである。
【００５５】
センサ情報入力ポート８２は、第１検出部４１４ａ及び第２検出部４２４ａからの検出信号が入力されるポートである。この検出信号は、ｉ）第１検出部４１４ａが第１検出ターゲット４１４ｂを検出した際の検出信号（つまり、装飾ユニット３０の第１部分３１が所定の位置にあることを示す信号）と、ｉｉ）第２検出部４２４ａが第２検出ターゲット４２４ｂを検出した際の検出信号（つまり、装飾ユニット３０の第２部分３２が所定の位置にあることを示す信号）である。
【００５６】
以上の構成からなる表示装置１００は、制御部７０の制御の下、所定の情報をトリガとして、装飾ユニット３０の第１部分３１（及び指針式計器２０）と第２部分３２とを各々スライド移動させ、装飾ユニット３０を複数の状態に変形させるとともに、その状態に対応させてディスプレイ装置１０の表示を変化させる。
表示装置１００は、制御部７０により移動機構４０を駆動制御して、装飾ユニット３０を、例えば、図５に示すように、第１部分３１と第２部分３２とがディスプレイ装置１０の表示領域の中央部で、リング形状を表現する「第１パターン」の状態と、第１部分３１が表示領域の左端部に位置し、且つ、第２部分３２が表示領域の右端部に位置する「第２パターン」の状態と、に変形させる。なお、状態に対応させたディスプレイ装置１０の表示変化については、後に詳述する。
このような、表示装置１００の動作は、制御部７０のＣＰＵが実行する表示形態変形処理によって実現される。以下、図９等を参照してこの処理を説明する。
【００５７】
（表示形態変形処理）
表示形態変形処理は、車両情報入力ポート８１を介し、送信されてきた所定の信号を、制御部７０が受け付けたことを条件に開始される。開始トリガとしての所定の信号は、例えば、表示装置１００が搭載されている車両のドアがオープンされたことを示す信号である。
【００５８】
表示形態変形処理を開始すると、まず、制御部７０は、前回の表示形態変形処理終了時に「第１パターン」の状態（図５（ａ）参照）になっていた装飾ユニット３０の第１部分３１（及び指針式計器２０）を左端に、第２部分３２を右端に移動させる（つまり、装飾ユニット３０を「第２パターン」の状態（図５（ｂ）参照）にする）イニシャライズ動作を実行する（ステップＳ１）。
具体的には、制御部７０は、第１駆動部４１２を駆動制御し、第１移動板４１１を左方向にスライド移動させる。そして、制御部７０は、第１検出ユニット４１４と協働して、第１移動板４１１が左端部に位置したことを検出すると（つまり、第１検出部４１４ａが３つの第１検出ターゲット４１４ｂのうち左端部に位置する第１検出ターゲット４１４ｂと対向する位置に位置することで、第１検出部４１４ａから供給される検出信号を受け付けると）、第１駆動部４１２の回転動作を停止させ、停止位置（検出位置）を今回動作の第１移動板４１１の原点（基準位置）とする。それと同時に、制御部７０は、第２駆動部４２２を駆動制御し、第２移動板４２１を右方向にスライド移動させる。そして、制御部７０は、第２検出ユニット４２４と協働して、第２移動板４２１が右端部に位置したことを検出すると（つまり、第２検出部４２４ａが３つの第２検出ターゲット４２４ｂのうち右端部に位置する第２検出ターゲット４２４ｂと対向する位置に位置することで、第２検出部４２４ｂから供給される検出信号を受け付けると）、第２駆動部４２２の回転動作を停止させ、停止位置（検出位置）を今回動作の第２移動板４２１の原点（基準位置）とする。
制御部７０は、ステップＳ１において、このようなイニシャライズ動作を実行する。
【００５９】
続いて、制御部７０は、装飾ユニット３０を「第１パターン」の状態にする初期動作を実行する（ステップＳ２）。
具体的には、制御部７０は、第１駆動部４１２を駆動制御し、第１移動板４１１を右方向にスライド移動させる。そして、制御部７０は、第１検出ユニット４１４と協働して、第１移動板４１１が中央部に位置したことを検出すると（つまり、第１検出部４１４ａが３つの第１検出ターゲット４１４ｂのうち中央部に位置する第１検出ターゲット４１４ｂと対向する位置に位置することで、第１検出部４１４ａから供給される検出信号を受け付けると）、第１駆動部４１２の回転動作を停止させる。それと同時に、制御部７０は、第２駆動部４２２を駆動制御し、第２移動板４２１を左方向にスライド移動させる。そして、制御部７０は、第２検出ユニット４２４と協働して、第２移動板４２１が中央部に位置したことを検出すると（つまり、第２検出部４２４ａが３つの第２検出ターゲット４２４ｂのうち中央部に位置する第２検出ターゲット４２４ｂと対向する位置に位置することで、第２検出部４２４ｂから供給される検出信号を受け付けると）、第２駆動部４２２の回転動作を停止させる。
制御部７０は、このようにして、装飾ユニット３０を「第１パターン」の状態にする初期動作を実行する。
【００６０】
なお、第１パターンの状態では、第１部分３１と第２部分３２とは当接せずに、近接する。これにより、図３（ｃ）に示すように、第１部分３１と第２部分３２との間には隙間部Ｇが形成される。隙間部Ｇは、移動機構４０の移動精度誤差や、移動してきた第１移動板４１１及び第２移動板４２１が停止した際の反動で微動することによって、第１部分３１と第２部分３２とが当接しないように設けられる。第１検出ユニット４１４、第２検出ユニット４２４等を適宜調整することにより、このような隙間部Ｇが形成されるように表示装置１００は構成される。また、本実施形態では、上記のように、第１部分３１に隙間部Ｇを、表示装置１００を表側から見た（正視した）場合に、覆い隠すリブｒ１が形成されており、これによって、近接時に間欠（隙間）のないリング形状を表現している。
【００６１】
続いて、制御部７０は、イグニッションがオンされたか否かを判別する（ステップＳ３）。制御部７０は、車両情報入力ポート８１を介して、イグニッションがオンされたことを示す信号を受け付けた場合に、イグニッションがオンされたと判別し（ステップＳ３；Ｙｅｓ）、ステップＳ４に処理を進める。一方、イグニッションがオンされていないと判別した場合（ステップＳ３；Ｎｏ）、ステップＳ３の処理を再度実行する。この場合、イグニッション・オンを示す信号を受け付けるまで、制御部７０は待機することになる。
【００６２】
ステップＳ４で、制御部７０は、オープニング動作を実行する。オープニング動作は、例えば、ディスプレイ装置１０に所定のオープニング画像を表示したり、指針式計器２０の指針ユニット２４をスイープさせたり、光源２５やディスプレイ装置１０のバックライトを点灯または点滅させたりする動作である。
【００６３】
続いて、制御部７０は、ギアがリバースギア（バックギア）であるか否かを判別する（ステップＳ５）。具体的には、制御部７０は、車両情報入力ポート８１を介し、ギアがリバースギアにシフトされたことを示す信号を受け付けるとリバースギアであると判別し（ステップＳ５；Ｙｅｓ）、ステップＳ８の処理を実行する。制御部７０は、リバースギアでないと判別した場合（ステップＳ５；Ｎｏ）、ステップＳ６の処理を実行する。
【００６４】
ステップＳ６で、制御部７０は、第１駆動部４１２及び第２駆動部４２２を制御し、装飾ユニット３０を「第１パターン」の状態にする。具体的な、制御方法については、ステップＳ２と同様である。なお、現在、既に、装飾ユニット３０が「第１パターン」の状態にあるときは、制御部７０は、その状態を維持する。
続いて、制御部７０のマイコン７１は、ＧＤＣ７２と協働して、ディスプレイ装置１０の表示を走行時画面表示にする（ステップＳ７）。走行時画面表示とは、例えば、図８（ａ）に示すような走行時画面９１の下、車両情報入力ポート８１を介し、送信されてきた車両情報に応じて、ディスプレイ装置１０及び指針式計器２０に各種計測量を表示させる表示である。より具体的には、走行時画面表示において、ディスプレイ装置１０は、その表示領域に、走行時画面９１（表示画像の一例）として、エンジン回転数を表示するタコメータＴｍ、燃料の残量を表示する燃料計Ｆｍ、バッテリー残量を示すバッテリー計Ｂｍ、走行モードを表示するモード表示Ｍｄ、速度計用の指標部Ｉｎ（報知画像の一例）等を表示する。速度計用の指標部Ｉｎは、図示するように、表示領域の中央部に位置する装飾ユニット３０（「第１パターン」の状態）のリング形状の内部に表示される数値、目盛り、図形等であり、このような指標部Ｉｎと指針式計器２０と第１パターンの状態にある装飾ユニット３０とで、車速計Ｓｍが表現される。この場合、車速計Ｓｍ以外の計器は、ディスプレイ装置１０に表示されたデジタル表示されるものであるが、車速計Ｓｍは、アナログの指針式計器２０（及び装飾ユニット３０）とディスプレイ装置１０にデジタル表示された指標部Ｉｎとによって表現される。つまり、装飾ユニット３０は、車速計Ｓｍの枠として機能し、この枠に沿うように（装飾ユニット３０の形状に合わせて）、ディスプレイ装置１０は、数値、目盛り等を車速を報知するための報知画像として表示する。なお、現在、既に、走行時画面表示の状態にあるときは、制御部７０は、その状態を維持する。
制御部７０は、ステップＳ６、Ｓ７の処理を実行すると、処理をステップＳ１０に進める。
【００６５】
ステップＳ５で、ギアがリバースギアであると判別した場合（ステップＳ５；Ｙｅｓ）、制御部７０は、第１駆動部４１２及び第２駆動部４２２を制御し、装飾ユニット３０を「第２パターン」の状態にする（ステップＳ８）。具体的な、制御方法については、ステップＳ１と同様である。なお、現在、既に、装飾ユニット３０が「第２パターン」の状態にあるときは、制御部７０は、その状態を維持する。
続いて、制御部７０のマイコン７１は、ＧＤＣ７２と協働して、ディスプレイ装置１０の表示をバックモニタ表示にする（ステップＳ９）。バックモニタ表示とは、例えば、図８（ｂ）に示すようなバックモニタ用画面９２（表示画像の一例）の下、車両情報入力ポート８１を介し、送信されてきた車両情報に応じて、ディスプレイ装置１０及び指針式計器２０に各種計測量を表示させる表示である。より具体的には、バックモニタ表示において、ディスプレイ装置１０は、その表示領域に、バックモニタ用画面９２として、ｉ）表示領域の左端部に位置する装飾ユニット３０の第１部分３１の内部に、その半円弧形状に合わせて速度計用の数値、目盛り、図形等からなる指標部Ｉｎ（報知画像の一例）を表示し、ｉｉ）表示領域の右端部に位置する第２部分３２の内部に、その半円弧形状に合わせてワーニング表示Ｗａ１、Ｗａ２（報知画像の一例）を表示し、ｉｉｉ）左右に開いた第１部分３１と第２部分３２の間に出現する矩形状の領域にバックモニタＢｍ（表示画像に含まれる所定の画像の一例）を表示する。
バックモニタＢｍには、車両後部に搭載され、外部を撮影するバックカメラ（図示せず）の撮影画像が映し出される。ワーニング表示Ｗａ１，Ｗａ２は、例えば、車両の後退時に障害物が近接した場合の警告表示、現在、後退時であることを運転者に知らせる警告表示等である。また、指標部Ｉｎと指針式計器２０と第２パターンの状態にある装飾ユニット３０の第１部分３１とで、車速計Ｓｍが表現される。この場合は、第１部分３１が、車速計Ｓｍの枠として機能し、この枠に沿うように（第１部分３１の形状に合わせて）、ディスプレイ装置１０は、数値、目盛り等を車速を報知するための報知画像として表示する。また、第２部分３２が、ワーニング表示Ｗａ１，Ｗａ２を表示する計器の枠として機能し、この枠の形状に合わせて、ディスプレイ装置１０は、警告情報を知らせるための報知画像をワーニング表示Ｗａ１，Ｗａ２として表示する。なお、現在、既に、バックモニタ表示の状態にあるときは、制御部７０は、その状態を維持する。
制御部７０は、ステップＳ８、Ｓ９の処理を実行すると、処理をステップＳ１０に進める。
【００６６】
ステップＳ１０で、制御部７０は、イグニッションがオフされたか否かを判別する。制御部７０は、車両情報入力ポート８１を介して、イグニッションがオフされたことを示す信号を受け付けた場合に、イグニッションがオフされたと判別し（ステップＳ１０；Ｙｅｓ）、ステップＳ１１に処理を進める。一方、イグニッションがオフされていないと判別した場合（ステップＳ１０；Ｎｏ）、処理をステップＳ５に戻す。
【００６７】
ステップＳ１１で、制御部７０は、装飾ユニット３０を「第１パターン」の状態にする終了動作を実行する。具体的な、制御方法については、ステップＳ２と同様である。なお、現在、既に、装飾ユニット３０が「第１パターン」の状態にあるときは、制御部７０は、その状態を維持する。
ステップＳ１１の処理を実行すると制御部７０は、表示形態変形処理を終了する。
【００６８】
以上の表示形態変形処理において、表示装置１００は、装飾ユニット３０を第１パターン、第２パターンの状態に変化させるとともに、それに伴い、ディスプレイ装置１０にパターンの変化前後で異なった画像を表示させることで、２つの表示形態（走行画面表示、バックモニタ表示）で各種情報を表示した。だが、表示装置１００の表示形態は、これに限られない。例えば、表示装置１００は、第１部分３１と第２部分３２とを、ディスプレイ装置１０の表示領域の左端部に移動させ、両者でリング形状を表現する「第３パターン」の状態（図１０（ａ）参照）にするとともに、ディスプレイ装置１０に、図１０（ｂ）に示すようなラジオ表示を表示させることもできる。
ラジオ表示において、ディスプレイ装置１０は、例えば、ラジオ表示画面９３（表示画像の一例）として、表示領域の左側に位置する装飾ユニット３０のリング形状に合わせて速度計用の指標部Ｉｎ（報知画像の一例）、サイドブレーキかかっているか否かを示す警告表示Ｗａ３（報知画像の一例）を表示し、装飾ユニット３０が移動することによって空いた表示領域の右側の領域にラジオ表示画像Ｒｄを表示する。走行画面表示（図８（ａ））、バックモニタ表示（図８（ｂ））等からラジオ表示への切り替えは、ユーザがインパネ周辺の各種コントロールスイッチにより、ラジオを選択することで送信される操作内容を示す信号を制御部７０が受け付けたことを条件に実行される。
【００６９】
また、表示装置１００は、第２パターンの状態（図５（ｂ）参照）で、ディスプレイ装置１０の表示領域のうち、第１部分３１と第２部分３２とが左右に開くことで形成されるスペースに対応する領域に、カーナビゲーション画像（表示画像に含まれる所定の画像の一例）を表示させてもよい。
【００７０】
また、表示装置１００は、装飾ユニット３０を移動させ、表示領域の左端部でリング形状を表現した場合（第３パターンの状態（図１０（ａ）参照））、装飾ユニット３０が移動することで空いた表示領域の右側の領域に、車両右側に関連した情報（例えば、車外右側の画像、右ドアの開状態を報知するインジケーター、右タイヤの空気圧異常等の車両右側部品についての情報）を表示させてもよい。このようにすれば、情報がユーザ（主に、運転者）の方向感覚とリンクするように表示されるため、ユーザは、表示された情報を感覚的に、容易に把握できる。同様に、表示装置１００は、装飾ユニット３０を移動させ、表示領域の右端部でリング形状を表現した場合、装飾ユニット３０が移動することで空いた表示領域の左側の領域に、車両左側に関連した情報を表示させてもよい。
【００７１】
また、表示装置１００は、リング形状を保ったままで、装飾ユニット３０を表示領域の一端から他端へ移動させてもよい。これにより、ユーザに表示装置１００を効果的に注視させることや、斬新な演出をすることが可能である。
【００７２】
本実施形態に係る表示装置１００は、車両の状態を報知するための報知画像を含む表示画像を表示領域に表示するディスプレイ装置１０（表示部の一例）と、ディスプレイ装置１０の表示領域上に位置し、第１部分３１と第２部分３２から構成される装飾ユニット３０（フレーム体の一例）と、第１部分３１と第２部分３２のうち少なくとも一方を移動させる移動機構４０（移動装置の一例）と、を備え、装飾ユニット３０は、第１部分３１と第２部分３２のうち少なくとも一方が前記移動装置によって移動することによって分割され、分割される前は、ディスプレイ装置１０の表示領域のうちの一領域を囲み、ディスプレイ装置１０は、装飾ユニット３０の分割前後で異なる表示画像を表示し、装飾ユニット３０の分割前と分割後の少なくとも一方で、装飾ユニット３０の形状に合わせた報知画像を表示する。このような表示装置１００によれば、装飾ユニット３０の移動位置に合わせて、表示画像を変化させることができるため、斬新な表示を実現できる。
【００７３】
また、装飾ユニット３０は、第１部分３１と第２部分３２の移動方向が表示装置１００の観察者から見た場合の左右方向であることによって、左右方向に分割される。これにより、左右方向が長尺方向である場合が多い乗り物用の表示装置の表示領域上を、装飾ユニット３０を広い範囲で移動させることが可能であり、斬新な表示を実現するとともに、装飾ユニット３０が移動することによって、形成される領域を利用して様々な状態画像を表示することができる。
【００７４】
また、装飾ユニット３０が分割される前は、装飾ユニット３０の第１部分３１と第２部分３２とは、各々当接せずに近接することで、隣り合う第１部分３１と第２部分３２との間には隙間部Ｇが形成され、第１部分３１には、表示装置１００を正視した場合（表側から見た場合）に隙間部Ｇを覆い隠すリブｒ１が形成されている。これにより、表示装置１００の正視時に、第１部分３１と第２部分３２とで１の形状（リング形状）を表現する場合に、意図しない間欠（隙間）が生じることなくなめらかな１の形状を表現できる。また、両者を当接させずに済むため、移動の際の衝撃を抑えることができ故障防止にも繋がる。また、両者がぶつかったときの衝撃音も発生しないため騒音防止にも繋がる。
【００７５】
本実施形態に係る表示装置１００は、車両の状態を報知するための報知画像を含む表示画像を表示領域に表示するディスプレイ装置１０（表示部の一例）と、ディスプレイ装置１０の表示領域上に位置する第１部分３１（第１可動部材の一例）及び第２部分３２（第２可動部材の一例）と、第１部分３１を第１の可動範囲で第１の方向（左右方向）に移動させる第１伝達機構４１３（第１の機構の一例）と、第２部分３２を前記第１の可動範囲と少なくとも一部が重なる第２の可動範囲で前記第１の方向に沿って移動させる第２伝達機構４２３（第２の機構の一例）と、を備え、ディスプレイ装置１０は、第１部分３１と第２部分３２の少なくとも一方が移動した後に、移動前とは異なる表示画像を表示する。このような表示装置１００によれば、第１部分３１と第２部分３２の移動範囲を広くとることが可能であり、また、両者の移動に合わせて異なる表示画像を表示できるため、多様な表示形態での表示が可能である。
【００７６】
また、第１伝達機構４１３と第２伝達機構４２３とは、互いに、第１部分３１及び第２部分３２の移動方向（左右方向）と垂直な方向（上下方向）に所定間隔を空けて位置する。これにより、表裏方向の厚みを抑えた表示装置１００を提供することができる。
【００７７】
なお、本発明は上記の実施形態、下記の変形例、及び図面によって限定されるものではない。適宜変更（構成要素の削除も含む）を加えることができるのはもちろんである。
【００７８】
（変形例）
上記実施形態では、第１伝達機構４１３と第２伝達機構４２３とが、左右方向にずれずに配置される例を示したが、これに限られない。図１１に示すように、両者を、左右方向にずれるように配置してもよい。このように両者をずらした場合であっても、第１伝達機構４１３を備える第１移動機構４１の可動範囲と第２伝達機構４２３を備える第２移動機構４２の可動範囲とが少なくとも一部重なるように表示装置１００を構成すれば、可動範囲を広くとることができ、多様な表示形態での表示が可能である。
【００７９】
また、上記実施形態では、表示装置１００を表裏方向に薄く構成するため、第１伝達機構４１３と第２伝達機構４２３とを各々上下方向に所定間隔を空けて配置される例を示したが、これに限られない。設計上の要請がある場合は、両者の各々を表裏方向に所定間隔を空けて配置して表示装置を構成することもできる。
【００８０】
また、上記実施形態では、移動機構４０により、装飾ユニット３０を左右方向に移動させる例を示した。これは、上記実施形態における表示装置１００の長手方向が左右方向であったため、装飾ユニット３０を左右方向に移動させたほうが、表示装置１００の表示領域上の可動範囲を広くできるためである。しかし、移動方向はこれに限られず、上下方向、斜め方向等であってもよい。移動方向は、表示装置の形状等を勘案して、適宜変更することができる。
【００８１】
また、上記実施形態では、装飾ユニット３０が、ディスプレイ装置１０の表示領域内で移動する例を示したが、これに限られない。装飾ユニット３０の一部がディスプレイ装置１０からはみ出るように移動したり、装飾ユニット３０全体がディスプレイ装置１０の外側まで移動したりすることで、より斬新な表示形態を可能としてもよい。
【００８２】
また、上記実施形態では、第１検出ターゲット４１４ｂを３つ配設することで第１移動板４１１（第１部分３１）の移動完了位置を３つ規定し、第２検出ターゲット４２４ｂを３つ配設することで第２移動板４２１（第２部分３２）の移動完了位置を３つ規定したが、これに限られない。第１検出ターゲット４１４ｂ、第２検出ターゲット４２４ｂを、２つ配設、または、４つ以上配設することによって、移動完了位置を規定してもよい。
【００８３】
上記実施形態では、表示装置１００が実体の指針式計器２０を備える例を示したが、これに限られない。表示装置は、実体指針を備えず、ディスプレイ装置１０に指針を表示させたり、数値（計測値）を表示させたりしてもよい。
【００８４】
また、上記実施形態では、装飾ユニット３０の第１部分３１と第２部分３２とが近接した場合に円形状（リング形状）となる例を示したが、これに限られない。第１部分と第２部分とが、近接時に、楕円形、矩形、多角形になることで、表示領域の一部を囲んでもよいし、近接時に、辺の一部が欠けたような形状で表示領域の一部を囲むようにしてもよい。
【００８５】
また、上記実施形態では、装飾ユニット３０が、移動により、２つの部分（第１部分３１、第２部分３２）に分割される例を示したが、これに限られない。３つ以上であってもよい。
【００８６】
また、上記実施形態では、第１部分３１と第２部分３２との近接時に、表示装置１００を表側から見た（正視した）場合に隙間部Ｇを覆う２つのリブが、共に第１装飾カバー３１２に設けられる２つのリブｒ１である例を示したが、これに限られない。このように隙間部Ｇを覆う２つのリブを、共に、第２装飾カバー３２２に設けてもよいし、このように隙間部Ｇを覆う２つのリブの一方を第１装飾カバー３１２に設け、他方を第２装飾カバー３２２に設けてもよい。
【００８７】
また、上記実施形態では、指針駆動部２１に取り付けられた第１マグネット体２２の磁力より、第２マグネット体２３を回転させる例を示したが、これに限られない。
第２マグネット体２３に一対のコイルを巻き回して、これら一対のコイルへ通電により、第２マグネット体２３を回転させる（つまり、指針ユニット２４を回転させる）ようにしてもよい。前記一対のコイルは、例えば、光源２５と同様に、導通部材を通じて制御部７０と接続される。この場合、指針駆動部２１、第１マグネット体２２、基材Ｓ（図２（ｂ）、図３（ｂ）参照）は不要である。
【００８８】
上記実施形態では、表示装置が車両に搭載される車両用計器である例を示したが、これに限られない。表示装置は、水上バイク、耕作機械、航空機、船舶、電車等に搭載される計器であってもよい。
【符号の説明】
【００８９】
１００    表示装置
１０    ディスプレイ装置
２０    指針式計器
２１    指針駆動部
２２    第１マグネット体
２３    第２マグネット体
２４    指針ユニット
２５    光源
２６    導通部材
３０    装飾ユニット
３１    第１部分
３１１  第１基材
３１２  第１装飾カバー
３１３  台座
３２    第２部分
３２１  第２基材
３２２  第２装飾カバー
４０    移動機構
４１    第１移動機構
４１１  第１移動板
４１２  第１駆動部
４１３  第１伝達機構
４１４  第１検出ユニット
４２    第２移動機構
４２１  第２移動板
４２２  第２駆動部
４２３  第２伝達機構
４２４  第２検出ユニット
４３    スライド機構
４４    移動機構用筐体
５０    回路基板
６０    ケース体
７０    制御部
８１    車両情報入力ポート
８２    センサ情報入力ポート
【図１】
0005720494.tif 000002
【図２】
0005720494.tif 000003
【図３】
0005720494.tif 000004
【図４】
0005720494.tif 000005
【図５】
0005720494.tif 000006
【図６】
0005720494.tif 000007
【図７】
0005720494.tif 000008
【図８】
0005720494.tif 000009
【図９】
0005720494.tif 000010
【図１０】
0005720494.tif 000011
【図１１】
0005720494.tif 000012